(57)【要約】  本開示は、携帯性を向上させ、利便性を向上させた電力配線装置を提供することを目的とする。本開示の電力配線装置は、複数の第１コネクタ１２を備え、複数の第１コネクタ１２を互いに導通させる板状の配線部材１０と、複数の第１コネクタ１２のうちの任意の第１コネクタ１２と機械的かつ電気的に着脱可能な第２コネクタ２１を備え配線部材１０上に載置される板状の外部回路要素２０とを備える電力配線装置１であって、第１コネクタ１２に対する第２コネクタ２１の挿抜方向は、外部回路要素２０の面方向に略平行であり、外部回路要素２０は、環境発電による電力を第２コネクタ２１から出力可能な回路要素としての環境発電要素を含むことを特徴とする。
2019181536.tif 000002
【特許請求の範囲】
【請求項１】
複数の第１コネクタを備え、当該複数の第１コネクタを互いに導通させる板状の配線部材と、
前記複数の第１コネクタのうちの任意の第１コネクタと機械的かつ電気的に着脱可能な第２コネクタを備え前記配線部材上に載置される板状の外部回路要素と
を備え、
前記第１コネクタに対する前記第２コネクタの挿抜方向は、前記外部回路要素の面方向に略平行であり、
前記外部回路要素は、環境発電による電力を前記第２コネクタから出力可能な回路要素としての環境発電要素を含むことを特徴とする電力配線装置。
【請求項２】
前記配線部材は、可撓性を有する部材である、請求項１に記載の電力配線装置。
【請求項３】
前記配線部材は、前記外部回路要素の辺縁部において前記外部回路要素の厚み方向の変位を規制することで前記外部回路要素を前記配線部材上に保持する辺縁部保持部材を有する、請求項１又は２に記載の電力配線装置。
【請求項４】
前記辺縁部保持部材は、前記第２コネクタの挿抜方向に沿って前記辺縁部を収容する収容部を有し、前記第２コネクタを前記第１コネクタに対向させた状態で前記辺縁部を前記収容部に収容することで、前記第２コネクタが前記第１コネクタに対して装着可能に位置決めされる、請求項３に記載の電力配線装置。
【請求項５】
前記外部回路要素は、前記第２コネクタから入力される電力を消費可能な回路要素としての負荷要素を有する、請求項１乃至４のいずれか一項に記載の電力配線装置。
【請求項６】
前記配線部材は、前記第１コネクタを有する複数の配線部材ユニットを備え、当該複数の配線部材ユニットは連結配線部材を介して機械的かつ電気的に接続されている、請求項１乃至５のいずれか一項に記載の電力配線装置。
【請求項７】
前記連結配線部材は、前記複数の配線部材ユニット上に配置される第４コネクタを有し、当該第４コネクタ同士が直接又は他の部材を介して接続されることで前記複数の配線部材ユニットは機械的かつ電気的に接続される、請求項６に記載の電力配線装置。
【請求項８】
前記配線部材は、前記外部回路要素が配置されていない折り曲げ位置において折り曲げ可能である、請求項１乃至７のいずれか一項に記載の電力配線装置。
【請求項９】
前記折り曲げ位置に隣接する２つの第１コネクタは、当該折り曲げ位置で前記配線部材を折り曲げた時に互いに面方向に重ならない面内位置に配置されている、請求項８に記載の電力配線装置。
【発明の詳細な説明】
【関連出願の相互参照】
【０００１】
本出願は、２０１８年  ３月２２日に出願された日本国特許出願第２０１８−  ５５２１９号に基づく優先権を主張するものであり、この特許出願の明細書全体を参照によって本願明細書に引用する。
【技術分野】
【０００２】
本開示は、電力配線装置に関する。
【背景技術】
【０００３】
近年、商用電源を得られない外出先などでも、利用者が、スマートフォン、ノートＰＣ（Ｐｅｒｓｏｎａｌ  Ｃｏｍｐｕｔｅｒ）、タブレットＰＣなどの携帯型の電子機器等の負荷に電力を供給できるように、外部環境に応じた電力を発電する携帯型の環境発電装置の需要が高まっている。このような環境発電装置としては、例えば、太陽光等の光エネルギーを用いて発電する太陽電池を備える装置や、地熱等の熱エネルギーを用いて発電する熱電変換素子を備える装置が挙げられる。【０００４】
このような環境発電装置としては、例えば特許文献１には、折り曲げ可能とすることで運搬性、収納性を向上させたシート状太陽電池が開示されている。
【先行技術文献】
【特許文献】
【０００５】
【特許文献１】特開平９−  ５１１１８号公報
【特許文献２】特開平８−２３７８８３号公報
【発明の概要】
【発明が解決しようとする課題】
【０００６】
しかし、特許文献１に記載の発明では、シート状太陽電池が相互に着脱不能な状態でモジュール化されているため、利用状況に応じて太陽電池セルの使用枚数を調整したり、故障時に一部の太陽電池を取り換えたり、個別のシート状太陽電池を必要に応じて他の装置に接続したりすることができなかった。【０００７】
これに対して、特許文献２には、太陽電池を配線上にホックで係合可能な、バッテリー充電器が開示されている。【０００８】
しかし、特許文献２に記載の発明では、太陽電池の面方向と、太陽電池の着脱方向とが異なっているため、太陽電池の着脱時に曲げ応力等が発生して破損し易かったり、信頼性の高い着脱をしようとすると手間がかかることがあった。【０００９】
そこで、本開示の目的は、上述した課題を解決し、携帯性を向上させ、又は/及び利便性を向上させた電力配線装置を提供することにある。
【課題を解決するための手段】
【００１０】
この開示は、上記課題を有利に解決することを目的とするものであり、本開示の電力配線装置は、複数の第１コネクタを備え、当該複数の第１コネクタを互いに導通させる板状の配線部材と、前記複数の第１コネクタのうちの任意の第１コネクタと機械的かつ電気的に着脱可能な第２コネクタを備え前記配線部材上に載置される板状の外部回路要素とを備える電力配線装置であって、前記第１コネクタに対する前記第２コネクタの挿抜方向は、前記外部回路要素の面方向に略平行であり、前記外部回路要素は、環境発電による電力を前記第２コネクタから出力可能な回路要素としての環境発電要素を含むことを特徴とする。このような構成とすることで、環境発電要素を搭載した外部回路要素を配線部材に装着したまま持ち運ぶことができるので、電力配線装置を容易に発電効率が高い場所に移動させて外部環境による発電効率の低下を抑制することができる。【００１１】
本開示の電力配線装置は、上記構成において、前記配線部材は、可撓性を有する部材であることが好ましい。このような構成とすることで、電力配線装置を変形させて収納や持ち運びをし易くすることができる。【００１２】
本開示の電力配線装置は、上記構成において、前記配線部材は、前記外部回路要素の辺縁部において前記外部回路要素の厚み方向の変位を規制することで前記外部回路要素を前記配線部材上に保持する辺縁部保持部材を有することが好ましい。このような構成とすることで、外部回路要素を配線部材上から離れないように保持することができるので、外部回路要素を配線部材に装着したまま電力配線装置を持ち運んでも、外部回路要素が配線部材から離脱して変形したり、過大な応力がかかって破損するのを抑制することができる。【００１３】
本開示の電力配線装置は、上記構成において、前記辺縁部保持部材は、前記第２コネクタの挿抜方向に沿って前記辺縁部を収容する収容部を有し、前記第２コネクタを前記第１コネクタに対向させた状態で前記辺縁部を前記収容部に収容することで、前記第２コネクタが前記第１コネクタに対して装着可能に位置決めされることが好ましい。このような構成とすることで、外部回路要素を配線部材に平行に移動させて第２コネクタを容易に第１コネクタに装着することができる。また、第２コネクタを第１コネクタに装着する際に各部材にかかる応力を低減することができる。【００１４】
本開示の電力配線装置は、上記構成において、前記外部回路要素は、前記第２コネクタから入力される電力を消費可能な回路要素としての負荷要素を有することが好ましい。このような構成とすることで、電力配線装置が有する環境発電要素で発電された電力を容易に負荷要素で消費することができる。また負荷要素と環境発電要素を、使用時の配置若しくは使用後の配置のまま、一体として容易に持ち運ぶことが可能になる。さらに、コネクタにより着脱可能とすることで、配置変更も自由に可能となる。【００１５】
本開示の電力配線装置は、上記構成において、前記配線部材は、前記第１コネクタを有する複数の配線部材ユニットを備え、当該複数の配線部材ユニットは連結配線部材を介して機械的かつ電気的に接続されていることが好ましい。このような構成とすることで、電力配線装置は、連結配線部材の領域で折り畳むことができるので、収納や持ち運びをし易くすることができる。【００１６】
本開示の電力配線装置は、上記構成において、前記連結配線部材は、前記複数の配線部材ユニット上に配置される第４コネクタを有し、当該第４コネクタ同士が直接又は他の部材を介して接続されることで前記複数の配線部材ユニットは機械的かつ電気的に接続されることが好ましい。このような構成とすることで、電力配線装置は、配線部材ユニット単位で増設が可能となるため、利用者の使用状況等に応じて、電力配線装置全体の大きさを自由に調節することができる。【００１７】
本開示の電力配線装置は、上記構成において、前記配線部材は、前記外部回路要素が配置されていない折り曲げ位置において折り曲げ可能であることが好ましい。このような構成とすることで、電力配線装置は、外部回路要素を装着したまま折り畳むことができるので、電力配線装置の携帯性を向上させることができる。【００１８】
本開示の電力配線装置は、上記構成において、前記折り曲げ位置に隣接する２つの第１コネクタは、当該折り曲げ位置で前記配線部材を折り曲げた時に互いに面方向に重ならない面内位置に配置されていることが好ましい。このような構成とすることで、電力配線装置を折り畳んだときの重なり方向の厚みを低減することができるため、電力配線装置の携帯性を更に向上させることができる。
【発明の効果】
【００１９】
本開示によれば、携帯性を向上させ、又は/及び利便性を向上させた電力配線装置を提供することができる。
【図面の簡単な説明】
【００２０】
【図１Ａ】本開示の一実施形態に係る電力配線装置１の構成を示す、背面図である。
【図１Ｂ】本開示の一実施形態に係る電力配線装置１の構成を示す、平面図である。
【図２】本開示の一実施形態に係る電力配線装置１の構成の変形例を示す、平面図である。
【図３】本開示の一実施形態に係る電力配線装置１の構成の更なる変形例を示す、平面図である。
【図４Ａ】本開示の一実施形態に係る電力配線装置２の構成を示す、一部背面図である。
【図４Ｂ】本開示の一実施形態に係る電力配線装置２の構成を示す、一部平面図である。
【図５Ａ】本開示の一実施形態に係る電力配線装置３の構成を示す、一部背面図である。
【図５Ｂ】本開示の一実施形態に係る電力配線装置３の構成を示す、一部平面図である。
【図６Ａ】本開示の一実施形態に係る電力配線装置４の構成を示す、一部背面図である。
【図６Ｂ】本開示の一実施形態に係る電力配線装置４の構成を示す、一部平面図である。
【図７】本開示の一実施形態に係る電力配線装置５の構成を示す、一部平面図である。
【図８】本開示の一実施形態に係る電力配線装置６の構成を示す、平面図である。
【図９】本開示の一実施形態に係る電力配線装置７の構成を示す、斜視図である。
【図１０】本開示の一実施形態に係る電力配線装置８の構成を示す、斜視図である。
【発明を実施するための形態】
【００２１】
以下、本開示の実施の形態について図面を参照して説明する。各図において共通の構成部には、同一の符号を付している。
【００２２】
［電力配線装置１の構成］
図１Ａ，図１Ｂは、本開示の一実施形態に係る電力配線装置１の概略図（背面図及び平面図）である。図１Ｂに示すように、電力配線装置１は、配線部材１０と、外部回路要素２０とを備えている。配線部材１０は、図１Ａ，図１Ｂに示すように板状且つ平面形状に形成されており、複数の第１コネクタ１２を備えている。電力配線装置１は、少なくともいずれかの外部回路要素２０内に少なくとも１つの環境発電要素を含む。外部回路要素２０は板状に形成され、配線部材１０が備える複数の第１コネクタ１２のうちの任意の第１コネクタ１２と機械的かつ電気的に着脱可能な第２コネクタ２１を備えている。複数の第１コネクタ１２は、導電部１１Ｂにより互いに電気的に接続されており、複数の第１コネクタ１２に装着された外部回路要素２０同士は、導電部１１Ｂを通じて、互いに電気的に接続されている。図１Ａ，図１Ｂでは、電力配線装置１の各構成の形状を説明の便宜のために規定しており、各構成の形状はこれらの形状には限定されない。このことは、以下の各図面においても同様である。
【００２３】
なお、本実施形態において、配線部材１０及び外部回路要素２０の面方向とは、図１Ｂにおける紙面に平行な方向であり、配線部材１０及び外部回路要素２０の厚み方向とは、図１Ｂにおける紙面に垂直な方向を示すものとする。また、配線部材１０及び外部回路要素２０の上面は、図１Ｂに示す平面視で視認可能な面を指す。すなわち、配線部材１０の上面には、第１コネクタ１２及び辺縁部保持部材１４Ａが設けられている。また、配線部材１０及び外部回路要素２０の左右方向は、図１Ｂにおける左右方向である。
【００２４】
配線部材１０は、図１Ｂに示すように、絶縁性材料で形成された基板本体１１Ａと、２つの第１コネクタ１２と、第１コネクタ１２同士を電気的に接続する導電部１１Ｂと、外部回路要素２０の辺縁部を保持する辺縁部保持部材１４Ａと、第３コネクタ１３とを備えている。本実施形態に係る配線部材１０は、平面視で矩形形状を有する平面形状部材である。配線部材１０は、導電部１１Ｂの周囲を被覆する絶縁性材料で形成された被覆部を備えていてもよい。配線部材１０は、導電部１１Ｂとしての配線を備えた、例えばガラスエポキシ基板、紙フェノール基板等のリジッド基板や、ポリイミドフィルム等で構成された可撓性を有するフレキシブルプリント基板 (Flexible Printed Circuits)によって構成することができる。配線部材１０にフレキシブルプリント基板を用いる場合は、電子部品や後述する辺縁部保持部材１４Ａ〜１４Ｅ等の部材を搭載する領域に補強板を設けて基板本体１１Ａの剛性を確保することが好ましい。また配線部材１０にリジット基板やフレキシブル基板を用いる際は、布、樹脂等の被覆材料で表面を被覆することが意匠性、耐環境性の点で好ましい。
【００２５】
導電部１１Ｂは、延在方向に沿って電気を通すことができる。導電部１１Ｂは、電気伝導体を含む。導電部１１Ｂに含まれる電気伝導体としては、特に限定されないが、例えば銅、アルミニウム、金、銀、ニッケル、及び鉄等の金属材料、並びにこれらの金属材料を含む合金材料により形成されたものが挙げられる。導電部１１Ｂは、延在方向に沿う任意の位置で繰り返し折り曲げることが可能な可撓性を有するものであっても、剛性を有するものであってもよい。配線部材１０の形状を可変として電力配線装置１全体の設置自由度を高める観点からは、導電部１１Ｂが可撓性を有することが好ましい。
【００２６】
２つの第１コネクタ１２は、それぞれ導電部１１Ｂに接続されている。従って、２つの第１コネクタ１２は、導電部１１Ｂを通じて互いに導通し、電気的に接続されている。本実施形態では、２つの第１コネクタ１２は、配線部材１０の長手方向（図１Ｂの左右方向）に沿って、互いに離隔するように配置されている。配線部材１０は、図１Ｂに示すように縁部に第３コネクタ１３を設けてもよい。配線部材１０に第３コネクタ１３を設ける場合には、２つの第１コネクタ１２は、第３コネクタ１３とも導電部１１Ｂを通じて電気的に接続される。
【００２７】
図１Ａ，図１Ｂでは、配線部材１０が２つの第１コネクタ１２を備える例を示したが、配線部材１０は複数の第１コネクタ１２を備えていればよい。すなわち、配線部材１０は、３つ以上の第１コネクタ１２を備えていてもよい。その場合、複数の第１コネクタ１２は、互いに導通している。また、複数の第１コネクタ１２は、配線部材１０の長手方向に沿って、互いに離隔するように配置されていてもよいが、この態様に限定されるものではない。複数の第１コネクタ１２は、例えば互いに同じ形状であってもよい。
【００２８】
配線部材１０における平面視で外部回路要素２０を囲む領域には、図１Ｂに示すように、辺縁部保持部材１４Ａが設けられている。辺縁部保持部材１４Ａは、この第２コネクタ２１の挿抜方向（図１Ｂ中に矢印で図示）に沿って外部回路要素２０の辺縁部を収容する収容部１５Ａを有している。収容部１５Ａは、図１Ａに示すように、外部回路要素２０の左右方向の辺縁部の上面及び側面を覆うように構成されている。これによって、平面視で第２コネクタ２１を第１コネクタ１２に対向させた状態で外部回路要素２０の左右方向辺縁部を収容部１５Ａに収容すると、外部回路要素２０の辺縁部の上面が辺縁部保持部材１４Ａに当接して外部回路要素２０の厚み方向の変位を規制する。また、外部回路要素２０の左右方向側面が辺縁部保持部材１４Ａに当接することで辺縁部保持部材１４Ａに対する外部回路要素２０の左右方向位置が位置決めされる。これによって、第２コネクタ２１が第１コネクタ１２に対して装着可能に位置決めされる。なお、図１Ｂの左側の辺縁部保持部材１４Ａの収容部１５Ａには、外部回路要素２０の辺縁部が既に収容され、第２コネクタ２１が第１コネクタ１２に対して装着された状態を示している。
【００２９】
図１Ａ，図１Ｂに示す例では、収容部１５Ａが外部回路要素２０の左右方向の辺縁部の領域のみならず、第１コネクタ１２の左右に隣接した辺縁部の領域、及び外部回路要素２０に関して第１コネクタ１２と対向する辺縁部の領域にも延びている。従って、矩形形状を有する外部回路要素２０の４つの辺縁部全てが収容部１５Ａに収容可能となるように構成されている。但し、外部回路要素２０を辺縁部保持部材１４Ａに挿入する際の挿入側となる収容部１５Ａ（図１Ｂにおける上側、すなわち第１コネクタ１２と対向する側の収容部１５Ａ）については、外部回路要素２０を面方向に規制しておらず、外部回路要素２０は、図１Ｂにおける第１コネクタ１２と対向する側から辺縁部保持部材１４Ａに挿入可能である。そして、図１Ｂに示すように、辺縁部保持部材１４Ａの面方向中央位置には、矩形形状の開口部１４Ａ１が形成されている。外部回路要素２０に環境発電要素としての太陽電池が搭載されている場合、太陽光がこの開口部１４Ａ１を通して太陽電池に入射し、発電させることができる。
【００３０】
このように収容部１５Ａが、平面視で矩形形状を有する外部回路要素２０の４つの辺縁部全てを収容することで、外部回路要素２０の厚み方向の変位が確実に規制される。従って、配線部材１０に外部回路要素２０を装着した状態で電力配線装置１を持ち運びした場合であっても、外部回路要素２０を配線部材１０の上面から離れないように両者を平行な状態で安定的に保持することができる。また、外部回路要素２０の左右方向側面が辺縁部保持部材１４Ａに当接することで辺縁部保持部材１４Ａに対する外部回路要素２０の左右方向位置が位置決めされるため、第２コネクタ２１を第１コネクタ１２に対して装着可能に位置決めすることができる。このように、外部回路要素２０の辺縁部を辺縁部保持部材１４Ａの収容部１５Ａに収容することで外部回路要素２０を配線部材１０に平行に移動させて第２コネクタ２１を容易に第１コネクタ１２に装着することができる。また、第２コネクタ２１を第１コネクタ１２に装着する際に各部材にかかる応力を低減することができる。
【００３１】
本実施形態では、外部回路要素２０の外形を平面視で矩形形状としたが、この態様に限定されるものではない。外部回路要素２０は、少なくとも左右方向辺縁部の一部が直線状に形成されていればよい。当該直線部分を辺縁部保持部材１４Ａに収容することで外部回路要素２０を配線部材１０に平行に維持したまま第２コネクタ２１を第１コネクタ１２に対して位置決めし、装着することができるからである。また、配線部材１０に対する外部回路要素２０の厚み方向の変位を規制する作用のみを得る場合には、外部回路要素２０の外形は辺縁部に直線部分を有している必要はなく、円形状等の曲線のみによって構成された形状を有していてもよい。また、辺縁部保持部材１４Ａの収容部１５Ａの形状についても、外部回路要素２０の辺縁部の形状に対応させて、適宜曲線を有する形状としてもよい。
【００３２】
また、配線部材１０上における外部回路要素２０が載置される領域は、必ずしも全面に配線部材１０（基板本体１１Ａ）が配置される必要はなく、軽量化を目的として、外部回路要素２０を支持するために例えば外部回路要素２０の周縁部に接する部分のみに配線部材１０（基板本体１１Ａ）が配置されていてもよい。
【００３３】
外部回路要素２０は、図１Ｂに示すように、第２コネクタ２１を備える。図１Ｂは、左側の第１コネクタ１２に外部回路要素２０の第２コネクタ２１が既に装着され、右側の第１コネクタ１２に外部回路要素２０の第２コネクタ２１を装着しようとする状態を示している。図１Ｂに示す例では、第２コネクタ２１は、外部回路要素２０の辺縁部に設けられている。第２コネクタ２１のうち第１コネクタ１２と当接する部分における厚み方向の中心位置と、外部回路要素２０のうち第２コネクタ２１が配置された辺縁部における厚み方向の中心位置とが略一致すると、挿抜時に曲げ応力等の過大な応力が加わることが抑制できるため好ましい。本実施形態では、第１コネクタ１２に対する第２コネクタ２１の挿抜方向は図１Ｂにおける上下方向であり、外部回路要素２０の面方向に平行である。これによって、外部回路要素２０は着脱時に厚み方向に突出することがなく、外部回路要素２０の着脱を考慮した電力配線装置１の厚みを薄くすることができる。また、外部回路要素２０の着脱に際しては、外部回路要素２０の面方向に力を作用させればよく、各部材に曲げ応力等の過大な応力が加わることを抑制することができる。なお、図１Ｂの例では、第１コネクタ１２に対する第２コネクタ２１の挿抜方向は、配線部材１０の面方向にも平行である。
【００３４】
外部回路要素２０は、例えば環境発電要素を有することができる。環境発電要素は、環境発電による電力を第２コネクタ２１から出力可能である。配線部材１０に環境発電要素を有する外部回路要素２０を複数装着する場合、複数の環境発電要素それぞれの発電能力は、互いに異なっていてもよい。
【００３５】
本実施形態では、図１Ｂの２つの第１コネクタ１２に接続される２つの外部回路要素２０のうち、少なくとも１つの外部回路要素２０が環境発電要素を有している。これによって、環境発電による電力を第２コネクタ２１から出力可能となり、配線部材１０に接続された負荷要素に電力を供給可能である。
【００３６】
第２コネクタ２１は、配線部材１０が備える任意の第１コネクタ１２と、機械的かつ電気的に着脱可能である。ここで、本明細書において、２つのコネクタが「機械的かつ電気的に着脱可能」とは、一方のコネクタを他方のコネクタに装着可能であり、また装着した状態から脱離することが可能であることを意味する。一方のコネクタが他方のコネクタに装着された状態では、その２つのコネクタは互いに機械的かつ電気的に接続される。また、一方のコネクタが他方のコネクタから脱離した状態では、その２つのコネクタは互いに機械的かつ電気的に非接続となる。
【００３７】
外部回路要素２０に搭載される環境発電要素は、例えば、図示しない環境発電による電力を生成可能な環境発電部と、逆電流防止部とを備えるように構成することができる。この場合、環境発電部は、外部環境に応じた電力を発電するものであって、例えば、太陽光、室内光などの光エネルギーを利用して発電する太陽電池を有する。或いは、環境発電部は、例えば、地熱等の熱エネルギーを利用して発電する熱電変換素子を有していてもよい。環境発電部は、生成した電力を逆電流防止部を介して第２コネクタ２１に出力する。
【００３８】
環境発電要素に搭載可能な太陽電池の種類としては、大別して、無機系材料を用いた無機系太陽電池と、有機系材料を用いた有機系太陽電池とが挙げられる。無機系太陽電池としては、シリコン（Ｓｉ）を用いたＳｉ系、化合物を用いた化合物系などが挙げられる。また、有機系太陽電池としては、有機顔料を用いた低分子蒸着系、導電性高分子を用いた高分子塗布系、変換型半導体を用いた塗布変換系などの薄膜系、チタニア、有機色素および電解質から成る色素増感系などが挙げられる。また、太陽電池パネルに含まれる太陽電池には、有機無機ハイブリッド太陽電池、ペロブスカイト系化合物を用いた太陽電池も含めることができる。太陽電池パネルは薄型パネル状であってもよく、その場合には、薄型に成型し易い点で、プラスチックフィルム等に作製された色素増感太陽電池が好適である。なお、太陽電池パネルが薄型パネル状である場合、上記プラスチックフィルム等に作製されたものに限定されるものでなく、同様に薄型であれば方式を問わないことは言うまでもない。太陽電池パネルが薄型パネル状である場合、その厚みは、例えば製造技術面から１０μｍ以上３ｍｍ以下が好適である。
【００３９】
逆電流防止部は、第２コネクタ２１からの電流が環境発電部に流れ込むことを抑制する。逆電流防止部は、ダイオード等の回路素子を含み得る。逆電流防止部としてダイオードを用いる場合、アノードが環境発電部側、カソードが第２コネクタ２１側となるように接続される。逆電流防止部は、トランジスタのコレクタ及びベース端子を接続して対エミッタ間をダイオードとして用いてもよい。
【００４０】
なお、環境発電部は、外部回路要素２０を介して接続される他の回路要素に含まれる環境発電部であってもよい。
【００４１】
外部回路要素２０は、環境発電要素に代えて、又は環境発電要素と共に、負荷要素を有することができる。負荷要素は、第２コネクタ２１から入力される電力を消費可能である。図１Ｂにおいて、２つの第１コネクタ１２を介して装着される２つの外部回路要素２０のうち、一方の外部回路要素２０が環境発電要素を有し、他方の外部回路要素２０が負荷要素を有していてもよい。また、少なくとも一方の外部回路要素２０が環境発電要素と共に負荷要素を有していてもよい。また、環境発電要素からの電力を補うために、外部回路要素２０が後述する充電済みの二次電池要素を有していてもよいし、第３コネクタ１３を介して他の装置から負荷要素に補助電力を供給するように構成してもよい。外部回路要素２０に負荷要素が複数備えられる場合、複数の負荷要素それぞれの消費電力は、互いに異なっていてもよい。
【００４２】
外部回路要素２０に負荷要素が搭載される場合、外部回路要素２０は、第２コネクタ２１に加えて、負荷と電圧制御部とを備えることができる。第２コネクタ２１及び電圧制御部は、互いに電気配線を介して又は直接に電気的に接続される。また、電圧制御部及び負荷は、互いに電気配線を介して又は直接に電気的に接続される。
【００４３】
負荷は、電力を消費可能な任意の負荷である。負荷は、例えば、ラジオ、スピーカー等の電子機器、ＬＥＤ照明、電動玩具等である。負荷が消費する電力は、負荷の駆動状態等によって変化し得る。
【００４４】
電圧制御部は、第２コネクタ２１から入力された電力を所定電圧に制御して負荷に出力する。詳細には、電圧制御部は、第２コネクタ２１から入力された電力を、負荷の定格電圧等、負荷の駆動に適した所定電圧に降圧又は昇圧して、負荷に出力する。
【００４５】
なお、負荷は、外部回路要素２０を介して接続される他の回路要素に含まれる負荷であってもよく、例えば、スマートフォン、携帯電話、パーソナルコンピュータ等の一般的な電子機器であってもよい。
【００４６】
電力配線装置１は、回路要素としての二次電池要素を更に備えてもよい。外部回路要素２０が二次電池要素を含む場合には、外部回路要素２０は、上述の第２コネクタ２１に加えて、例えば二次電池と切替部と電圧制御部と逆電流防止部とを備えることができる。
【００４７】
二次電池は、充放電可能な二次電池である。二次電池は、例えば、リチウムイオン電池、ニッケル水素電池などである。
【００４８】
切替部は、第２コネクタ２１から入力される電力を二次電池に充電する充電状態と、二次電池からの電力を第２コネクタ２１から出力する給電状態とを切替可能である。切替部は、例えば、第２コネクタ２１と二次電池との間で、それぞれと電気的に接続されたスイッチ素子を含む。
【００４９】
電圧制御部は、第２コネクタ２１から入力された電力を所定電圧に制御して二次電池に出力する。詳細には、電圧制御部は、第２コネクタ２１から入力された電力を、二次電池の定格電圧等、二次電池の充電に適した所定電圧に降圧又は昇圧して、二次電池に出力する。また、電圧制御部は、二次電池から入力された電力を所定電圧に制御して第２コネクタ２１に出力する。詳細には、電圧制御部は、二次電池から入力された電力を、他の負荷要素等の回路要素に適した所定電圧に昇圧又は降圧して、第２コネクタ２１に出力する。
【００５０】
逆電流防止部は、切替部が給電状態である場合に、第２コネクタ２１からの電流が二次電池に流れ込むことを抑制する。逆電流防止部は、ダイオード等の回路素子を含み得る。逆電流防止部としてダイオードを用いる場合、アノードが二次電池側、カソードが第２コネクタ２１側となるように接続される。
【００５１】
このように、外部回路要素２０が二次電池要素を備えることで、例えば、負荷要素への電力供給が不足する場合には二次電池要素を給電状態とし、負荷要素への電力供給が十分の場合には二次電池要素を充電状態とする等、状況に応じて二次電池要素の充電状態と給電状態とを切り替えることで、負荷要素へ安定的に電力を供給することができる。
【００５２】
また、配線部材１０の形状は、略矩形、略円形、略楕円形状等いずれの形状をも取り得ることができ、限定されない。更に配線部材１０は、行列状に外部回路要素２０が配置される場合は図２に示すように、折りたたんだときに縦横の折り曲げ線３２の交点に孔３０が配置されていてもよい。孔３０があることで、折り畳み時に前記交点に負荷がかかることによる配線部材１０の損傷を抑制することができる。
【００５３】
また、図３に示すように、配線部材１０は、外部回路要素２０を載置するための載置領域４１と、隣接する載置領域４１同士を連結させる連結領域４３（連結配線部材）が、其々判別可能な形状を有し、かつそれらが一の部材として構成されていてもよい。
【００５４】
なお、本実施形態において、配線部材１０は平面形状に構成したが、この態様には限定されず、配線部材１０は平面性を有していなくてもよい。また、図１Ａ，図１Ｂに示す例では、配線部材１０は、一の部材として構成されているが、この態様には限定されず、配線部材１０は、後述するように複数の配線部材ユニットを連結配線部材で接続した構成としてもよい。
【００５５】
［電力配線装置２の構成］
図４Ａ，図４Ｂは、本開示の一実施形態に係る電力配線装置２の概略図（背面図及び平面図）である。電力配線装置２は、図１Ａ，図１Ｂに示した電力配線装置１の変形例であり、辺縁部保持部材１４Ｂの構成が、電力配線装置１の辺縁部保持部材１４Ａと異なる他は、電力配線装置１の構成と近似している。従って、ここでは、辺縁部保持部材１４Ｂの構成に絞って詳説する。また、図４Ａ，図４Ｂでは、１つの第１コネクタ１２及び辺縁部保持部材１４Ｂのみが描かれているが、これは、電力配線装置１との差異点である辺縁部保持部材１４Ｂの構成を詳説するためのものであり、電力配線装置２についても、電力配線装置１と同様に複数の第１コネクタ１２及び辺縁部保持部材１４Ｂを有している点に留意されたい。これは、以下に示す電力配線装置３〜８についても同様である。
【００５６】
配線部材１０における平面視で外部回路要素２０を囲む領域には、図４Ｂに示すように、辺縁部保持部材１４Ｂが設けられている。辺縁部保持部材１４Ｂは、この第２コネクタ２１の挿抜方向（図４Ｂの上下方向）に沿って外部回路要素２０の辺縁部を収容する収容部１５Ｂを有している。収容部１５Ｂは、図４Ａに示すように、外部回路要素２０の左右方向の辺縁部の上面及び側面を覆うように構成されている。これによって、平面視で第２コネクタ２１を第１コネクタ１２に対向させた状態で外部回路要素２０の左右方向辺縁部を収容部１５Ｂに収容すると、外部回路要素２０の辺縁部の上面が辺縁部保持部材１４Ｂに当接して外部回路要素２０の厚み方向の変位を規制する。また、外部回路要素２０の左右方向側面が辺縁部保持部材１４Ｂに当接することで辺縁部保持部材１４Ｂに対する外部回路要素２０の左右方向位置が位置決めされる。これによって、第２コネクタ２１が第１コネクタ１２に対して装着可能に位置決めされる。なお、図４Ａ，図４Ｂでは、外部回路要素２０は描かれておらず、配線部材１０が有する第１コネクタ１２及び辺縁部保持部材１４Ｂのみが描かれている。
【００５７】
図４Ａ，図４Ｂに示す例では、収容部１５Ｂが、外部回路要素２０の左右方向の辺縁部の領域のみならず、第１コネクタ１２の左右に隣接した領域にも延びている。従って、収容部１５Ｂは、外部回路要素２０の挿入口となる第１コネクタ１２と対向する側を除く全方向から外部回路要素２０を囲んでいる。それ故、辺縁部保持部材１４Ｂは、全体として外部回路要素２０を３方向から取り囲むコの字形状を有している。
【００５８】
辺縁部保持部材１４Ｂには、第１コネクタ１２と対向する側（図４Ｂにおける上側）には、収容部１５Ｂが形成されておらず、外部回路要素２０は、図４Ｂにおける上側から辺縁部保持部材１４Ｂに挿入可能である。
【００５９】
辺縁部保持部材１４Ｂは、外部回路要素２０と当接する側の左右側面に、外部回路要素２０の側面が挿入できるガイド溝（図示しない）があってもよい。これにより、挿抜時に第２コネクタ２１がガイドされて第１コネクタ１２と挿抜しやすくなり、挿抜時の応力が緩和される。
【００６０】
そして、図４Ｂに示すように、辺縁部保持部材１４Ｂの中央位置には、開口部１４Ｂ１が形成されている。外部回路要素２０に環境発電要素としての太陽電池が搭載されている場合、太陽光がこの開口部１４Ｂ１を通して太陽電池に入射し、発電させることができる。
【００６１】
このように収容部１５Ｂが、平面視で矩形形状を有する外部回路要素２０の３辺の辺縁部を収容することで、外部回路要素２０の厚み方向の変位が確実に規制される。従って、配線部材１０に外部回路要素２０を装着した状態で電力配線装置２を持ち運びした場合であっても、外部回路要素２０を配線部材１０の上面から離れないように両者を平行な状態で安定的に保持することができる。また、外部回路要素２０の左右方向側面が辺縁部保持部材１４Ｂに当接することで辺縁部保持部材１４Ｂに対する外部回路要素２０の左右方向位置が位置決めされるため、第２コネクタ２１を第１コネクタ１２に対して装着可能に位置決めすることができる。このように、外部回路要素２０の辺縁部を辺縁部保持部材１４Ｂの収容部１５Ｂに収容することで外部回路要素２０を配線部材１０に平行に移動させて第２コネクタ２１を容易に第１コネクタ１２に装着することができる。また、第２コネクタ２１を第１コネクタ１２に装着する際に各部材にかかる応力を低減することができる。
【００６２】
また、この変形例では、電力配線装置１と比較して辺縁部保持部材１４Ｂが外部回路要素２０の辺縁部全体を保持するものではないため、辺縁部保持部材１４Ｂを簡略化した分だけ電力配線装置２を軽量化することができる。
【００６３】
［電力配線装置３の構成］
図５Ａ，図５Ｂは、本開示の一実施形態に係る電力配線装置３の概略図（背面図及び平面図）である。電力配線装置３は、図１Ａ，図１Ｂに示した電力配線装置１の変形例であり、辺縁部保持部材１４Ｃの構成が、電力配線装置１の辺縁部保持部材１４Ａと異なる他は、電力配線装置１の構成と近似している。従って、ここでは、辺縁部保持部材１４Ｃの構成に絞って詳説する。
【００６４】
配線部材１０における平面視で外部回路要素２０を囲む領域には、図５Ｂに示すように、辺縁部保持部材１４Ｃが設けられている。辺縁部保持部材１４Ｃは、この第２コネクタ２１の挿抜方向（図５Ｂの上下方向）に沿って外部回路要素２０の辺縁部を収容する収容部１５Ｃを有している。収容部１５Ｃは、図５Ａに示すように、外部回路要素２０の左右方向の辺縁部の上面及び側面を覆うように構成されている。これによって、平面視で第２コネクタ２１を第１コネクタ１２に対向させた状態で外部回路要素２０の左右方向辺縁部を収容部１５Ｃに収容すると、外部回路要素２０の辺縁部の上面が辺縁部保持部材１４Ｃに当接して外部回路要素２０の厚み方向の変位を規制する。また、外部回路要素２０の左右方向側面が辺縁部保持部材１４Ｃに当接することで辺縁部保持部材１４Ｃに対する外部回路要素２０の左右方向位置が位置決めされる。これによって、第２コネクタ２１が第１コネクタ１２に対して装着可能に位置決めされる。電力配線装置２と同様に、辺縁部保持部材１４Ｃの内側側面にガイド溝を設けてもよい。なお、図５Ａ，図５Ｂにおいて、外部回路要素２０は描かれておらず、配線部材１０が有する第１コネクタ１２及び辺縁部保持部材１４Ｃのみが描かれている。
【００６５】
図５Ｂに示すように、左右一対の辺縁部保持部材１４Ｃの間の領域には、開口部１４Ｃ１が形成されている。外部回路要素２０に環境発電要素としての太陽電池が搭載されている場合、太陽光がこの開口部１４Ｃ１を通して太陽電池に入射し、発電させることができる。
【００６６】
このように収容部１５Ｃが、平面視で矩形形状を有する外部回路要素２０の２辺の辺縁部を収容することで、外部回路要素２０の厚み方向の変位が確実に規制される。従って、配線部材１０に外部回路要素２０を装着した状態で電力配線装置３を持ち運びした場合であっても、外部回路要素２０を配線部材１０の上面から離れないように両者を平行な状態で安定的に保持することができる。また、外部回路要素２０の左右方向側面が辺縁部保持部材１４Ｃに当接することで辺縁部保持部材１４Ｃに対する外部回路要素２０の左右方向位置が位置決めされるため、第２コネクタ２１を第１コネクタ１２に対して装着可能に位置決めすることができる。このように、外部回路要素２０の辺縁部を辺縁部保持部材１４Ｃの収容部１５Ｃに収容することで外部回路要素２０を配線部材１０に平行に移動させて第２コネクタ２１を容易に第１コネクタ１２に装着することができる。また、第２コネクタ２１を第１コネクタ１２に装着する際に各部材にかかる応力を低減することができる。
【００６７】
また、この変形例では、電力配線装置１及び２と比較して辺縁部保持部材１４Ｃが外部回路要素２０の辺縁部全体を保持するものではなく、左右方向の辺縁部のみを保持するように構成されているため、辺縁部保持部材１４Ｃを簡略化した分だけ電力配線装置３を更に軽量化することができる。
【００６８】
［電力配線装置４の構成］
図６Ａ，図６Ｂは、本開示の一実施形態に係る電力配線装置４の概略図（背面図及び平面図）である。電力配線装置４は、図１Ａ，図１Ｂに示した電力配線装置１の変形例であり、辺縁部保持部材１４Ｄの構成が、電力配線装置１の辺縁部保持部材１４Ａと異なる他は、電力配線装置１と顕著な差異が無い。従って、ここでは、辺縁部保持部材１４Ｄの構成に絞って詳説する。
【００６９】
配線部材１０における平面視で外部回路要素２０を囲む領域には、図６Ｂに示すように、辺縁部保持部材１４Ｄが設けられている。辺縁部保持部材１４Ｄは、透明なガラスや樹脂で形成されており、第２コネクタ２１の挿抜方向に沿って外部回路要素２０の辺縁部を収容する収容部１５Ｄを有している。収容部１５Ｄは、図６Ａに示すように、外部回路要素２０の左右方向の辺縁部の上面及び側面を覆うように構成されている。これによって、平面視で第２コネクタ２１を第１コネクタ１２に対向させた状態で外部回路要素２０の左右方向辺縁部を収容部１５Ｄに収容すると、外部回路要素２０の辺縁部の上面が辺縁部保持部材１４Ｄに当接して外部回路要素２０の厚み方向の変位を規制する。また、外部回路要素２０の左右方向側面が辺縁部保持部材１４Ｄに当接することで辺縁部保持部材１４Ｄに対する外部回路要素２０の左右方向位置が位置決めされる。これによって、第２コネクタ２１が第１コネクタ１２に対して装着可能に位置決めされる。
【００７０】
図６Ａ，図６Ｂに示す例では、収容部１５Ｄが外部回路要素２０の左右方向の辺縁部の領域のみならず、外部回路要素２０の全領域を覆うように構成されている。この電力配線装置４では、辺縁部保持部材１４Ｄが透明部材によって形成されているので、太陽光の入射位置に開口部を形成する必要がなく、外部回路要素２０全体を収容部１５Ｄに収容することができる。従って、外部回路要素２０の厚み方向の変位がより確実に規制されるほか、外部回路要素２０が有する環境発電要素等を傷、汚れ、破損等から保護することができる。従って、配線部材１０に外部回路要素２０を装着した状態で電力配線装置４を持ち運びした場合であっても、外部回路要素２０を配線部材１０の上面から離れないように両者を平行な状態で安定的に保持することができると共に、環境発電要素等の傷、汚れ、破損等を抑制することができる。また、外部回路要素２０の左右方向側面が辺縁部保持部材１４Ｄに当接することで辺縁部保持部材１４Ｄに対する外部回路要素２０の左右方向位置が位置決めされるため、第２コネクタ２１を第１コネクタ１２に対して装着可能に位置決めすることができる。このように、外部回路要素２０の辺縁部を辺縁部保持部材１４Ｄの収容部１５Ｄに収容することで外部回路要素２０を配線部材１０に平行に移動させて第２コネクタ２１を容易に第１コネクタ１２に装着することができる。また、第２コネクタ２１を第１コネクタ１２に装着する際に各部材にかかる応力を低減することができる。
【００７１】
なお、図６Ａ，図６Ｂに示す例では、辺縁部保持部材１４Ｄが略矩形形状の収容部１５Ｄを有するように構成しているが、この態様に限定されるものではなく、収容部１５Ｄは、外部回路要素２０が内部でほぼ動かない程度の大きさに形成され、外部回路要素２０を位置決め出来ればよい。
【００７２】
なお、外部回路要素２０が太陽電池を有する場合には、電力配線装置４の辺縁部保持部材１４Ｄに用いる透明部材には、ガラス、又は太陽光に対する高い透過性及び耐光性を有するシート状、フィルム状、あるいは剛性を持つ透明樹脂を選択することが好ましい。また、太陽電池の発電部が露出する場所のみ透明な材料を用いて、その周辺は布または樹脂等の不透明な材料を用いるというように、異なる材料を複合させて辺縁部保持部材１４Ｄを構成してもよい。また、辺縁部保持部材１４Ｄが太陽光を透過させる必要がない場合には、布又は樹脂等の各種材料を用いてもよい。
【００７３】
［電力配線装置５の構成］
図７は、本開示の一実施形態に係る電力配線装置５の概略図（平面図）である。電力配線装置５は、図１Ａ，図１Ｂに示した電力配線装置１の変形例であり、辺縁部保持部材１４Ｅの構成が、電力配線装置１の辺縁部保持部材１４Ａと異なる他は、電力配線装置１の構成と近似している。従って、ここでは、辺縁部保持部材１４Ｅの構成に絞って詳説する。
【００７４】
配線部材１０における平面視で外部回路要素２０を囲む領域には、図７に示すように、辺縁部保持部材１４Ｅが設けられている。電力配線装置５に用いられる辺縁部保持部材１４Ｅは、電力配線装置１に用いられる辺縁部保持部材１４Ａと概ね同一形状を有するが、辺縁部保持部材１４Ｅは、ヒンジ部材等を用いて回転軸線周りに回動可能に構成されている。また、辺縁部保持部材１４Ｅは、第１コネクタ１２と対向する位置にマジックテープ(登録商標)等による係止部１７ａが形成されている。この係止部１７ａが、配線部材１０側の上面に形成された係止部１７ｂに係止されることで、辺縁部保持部材１４Ｅは、配線部材１０側に固定可能である。利用者は、外部回路要素２０の第２コネクタ２１を配線部材１０側の第１コネクタ１２に装着した後、辺縁部保持部材１４Ｅを回転軸線周りに回動させて、辺縁部保持部材１４Ｅ側の係止部１７ａを配線部材１０側の係止部１７ｂに係止させる。これによって、電力配線装置１と同様に、外部回路要素２０の４辺の辺縁部の厚み方向の変位が辺縁部保持部材１４Ｅ側の収容部１５Ｅによって規制される。従って、配線部材１０に外部回路要素２０を装着した状態で電力配線装置５を持ち運びした場合であっても、外部回路要素２０を配線部材１０の上面から離れないように両者を平行な状態で安定的に保持することができる。また、電力配線装置５では、外部回路要素２０の辺縁部を収容部１５Ｅ内でスライドさせて挿入する作業を必要としないので、外部回路要素２０の辺縁部と収容部１５Ｅとの摩擦等に起因して外部回路要素２０の脱着操作が阻害されるのを抑制することができる。
【００７５】
［電力配線装置６の構成］
図８は、本開示の一実施形態に係る電力配線装置６の概略図である。電力配線装置６は、図１Ａ，図１Ｂに示した電力配線装置１の変形例であり、配線部材１０が２つの配線部材ユニット１０Ａを含み、各配線部材ユニット１０Ａが第４コネクタ１８により機械的かつ電気的に着脱可能に構成されている他は、電力配線装置１の構成と近似している。従って、ここでは、電力配線装置１との差異点に絞って詳説する。
【００７６】
図８に示すように、電力配線装置６の配線部材１０は、２つの配線部材ユニット１０Ａを含んでいる。各配線部材ユニット１０Ａは、１つの第１コネクタ１２と、１つの辺縁部保持部材１４Ａとを有している。そして、各配線部材ユニット１０Ａには、２つの第４コネクタ１８が配置されている。第４コネクタ１８は、配線部材ユニット１０Ａ同士を機械的かつ電気的に接続する連結配線部材を構成している。連結配線部材は各配線部材ユニット１０Ａと導通し、かつ各配線部材ユニット１０Ａとの間に境界を有する。すなわち、連結配線部材は、配線部材ユニット１０Ａとは別部材として構成されている。配線部材ユニット１０Ａ内において、２つの第４コネクタ１８と、第１コネクタ１２とは導電部を介して電気的に接続されている。第４コネクタ１８は、各配線部材ユニット１０Ａの左右方向端部に１つずつ設けられている。図８に示すように左右方向に２つ配線部材ユニット１０Ａを並べたときに対向する第４コネクタ１８同士が機械的かつ電気的に着脱可能に構成されている。上記構成は、図８に図示するように、第４コネクタ１８が共にメス型コネクタにより構成され、第４コネクタ１８同士を、両端にオス型コネクタを有するフレキシブルプリント基板１９で接続することにより実現することができる。この場合、第４コネクタ１８、及びフレキシブルプリント基板１９により連結配線部材が構成されている。また、上記構成は、対向する第４コネクタ１８の一方をオス型コネクタ、他方をメス型コネクタにより構成し、両者を直接接続することによっても実現することができる。この場合、一対の第４コネクタ１８により連結配線部材が構成されることになる。なお、各配線部材ユニット１０Ａが有する第１コネクタ１２及び辺縁部保持部材１４Ａの数は１つに限定されず、複数有していてもよい。また、各配線部材ユニット１０Ａに配置される第４コネクタ１８についても２つに限定されず、１つ又は３つ以上が配置されていてもよい。
【００７７】
上記構成によって、電力配線装置６は、配線部材ユニット１０Ａ単位で増設が可能となるため、利用者の使用状況等に応じて、電力配線装置６全体の大きさを自由に調節することができる。また、対向する第４コネクタ１８同士をフレキシブルプリント基板１９で接続する図８の構成においては、各配線部材ユニット１０Ａ同士を接続したままで電力配線装置６を折り畳むことが可能となり、電力配線装置６の携帯性を向上させることができる。
【００７８】
なお、各配線部材ユニット１０Ａに設けられる第１コネクタ１２は１つに限定されず、各配線部材ユニット１０Ａに２つ以上の第１コネクタ１２が設けられていてもよい。また、第４コネクタ１８の配置についても上記態様に限定されず、例えば、配線部材ユニット１０Ａの左右方向端部に加えて図８の上下方向端部にも第４コネクタ１８を配置してもよい。これによって、左右方向に加えて図８の上下方向にも配線部材ユニット１０Ａを機械的かつ電気的に着脱可能となるため、配線部材ユニット１０Ａをマトリックス状に連結して電力配線装置６の大きさを調節することができる。
【００７９】
また、電力配線装置６は、各配線部材ユニット１０Ａが第４コネクタ１８を含む連結配線部材によって接続されるように構成したが、この態様には限定されない。各配線部材ユニット１０Ａと連結配線部材とは、例えばリジッド基板部とフレキシブルプリント基板部とが一体化した回路基板等を用いて一体に構成されていてもよい。すなわち、各配線部材ユニット１０Ａがリジッド基板部により構成されると共に連結配線部材がフレキシブルプリント基板部により構成され、リジッド基板部とフレキシブルプリント基板部とが一体化されていてもよい。
【００８０】
［電力配線装置７の構成］
図９は、本開示の一実施形態に係る電力配線装置７の概略図である。電力配線装置７は、図１Ａ，図１Ｂに示した電力配線装置１の変形例であり、配線部材１０Ｂが３つの第１コネクタ１２を有すると共に、外部回路要素２０が配置されない折り曲げ位置１０ｂ１において配線部材１０Ｂが折り曲げ可能に構成されている。その他の構成については、電力配線装置１の構成と近似している。
【００８１】
より詳しくは、配線部材１０Ｂは図９の左右方向に長い矩形形状を有しており、３つの第１コネクタ１２が左右方向に略等間隔で配置されている。そして、各第１コネクタ１２に外部回路要素２０を装着したときに外部回路要素２０が配置されない面内位置であって、隣接する第１コネクタ１２の間の位置において、上下方向に延びる折り曲げ位置１０ｂ１が画定されている。この折り曲げ位置１０ｂ１で配線部材１０Ｂを山折りと谷折りが交互になるように折り曲げることができる。
【００８２】
上記の電力配線装置７の構成は、例えば配線部材１０Ｂをフレキシブルプリント基板によって形成し、外部回路要素２０が配置されている領域に補強板を設けて配線部材１０Ｂの剛性を確保すると共に、折り曲げ位置１０ｂ１には補強板を設けずに屈曲性を確保することで実現することができる。また、電力配線装置７の構成は、リジッド基板部とフレキシブルプリント基板部とが一体化した回路基板を用い、折り曲げ位置１０ｂ１にフレキシブルプリント基板部を配置することによっても実現することができる。電力配線装置７の構成によって、外部回路要素２０が配置されていない領域を折り曲げることができる。従って、電力配線装置７は、外部回路要素２０を装着したまま折り畳むことができるので、電力配線装置７の携帯性を向上させることができる。
【００８３】
［電力配線装置８の構成］
図１０は、本開示の一実施形態に係る電力配線装置８の概略図（斜視図）である。電力配線装置８は、図１Ａ，図１Ｂに示した電力配線装置１の変形例であり、配線部材１０Ｃの上面には、図１０の左右方向に４個、上下方向に３個の第１コネクタ１２がマトリックス状に配置され、合計１２個の第１コネクタ１２が配置されている。左右方向に隣接する２つの第１コネクタ１２の間の位置であって外部回路要素２０が配置されない面内位置において、図１０の上下方向に延びる折り曲げ位置１０ｂ２が画定されている。図１０の左右方向に隣接する２つの第１コネクタ１２は、一方が他方を配線部材１０Ｃの面方向に垂直な中心軸線周りに１８０度回転させた関係にある。従って、利用者が、配線部材１０Ｃを折り曲げ位置１０ｂ２において山折りと谷折りが交互になるように折り曲げると、対向する第１コネクタ１２は、図１０の上下方向に概ね外部回路要素２０の上下方向長さだけ離隔し、第１コネクタ１２同士が完全に重なることがない。すなわち、折り曲げ位置１０ｂ２に隣接する２つの第１コネクタ１２は、当該折り曲げ位置１０ｂ２で配線部材１０Ｃを折り曲げた時に面方向に重ならない面内位置に配置されている。従って、電力配線装置８を折り畳んだときの重なり方向の厚みを低減することができるため、電力配線装置８の携帯性を向上させることができる。
【００８４】
上記の電力配線装置８の構成は、例えば配線部材１０Ｃをフレキシブルプリント基板によって形成し、外部回路要素２０が配置されている領域に補強板を設けて配線部材１０Ｃの剛性を確保すると共に、折り曲げ位置１０ｂ２には補強板を設けないことによって実現することができる。また、電力配線装置８の構成は、リジッド基板部とフレキシブルプリント基板部とが一体化した回路基板を用い、折り曲げ位置１０ｂ２にフレキシブルプリント基板部を配置することによっても実現することができる。
【００８５】
また、図１０では、列方向に１次元で折り曲げた場合を示しているが、行方向/列方向の
２次元での折り曲げをできるようにしてもよいことは言うまでもない。
【００８６】
以上述べたように、本実施形態では、複数の第１コネクタ１２を備え、複数の第１コネクタ１２を互いに導通させる板状かつ平面形状の配線部材１０と、複数の第１コネクタ１２のうちの任意の第１コネクタ１２と機械的かつ電気的に着脱可能な第２コネクタ２１を備え配線部材１０上に載置される板状の外部回路要素２０とを備える電力配線装置１であって、第１コネクタ１２に対する第２コネクタ２１の挿抜方向は、外部回路要素２０の面方向に略平行であり、外部回路要素２０は、環境発電による電力を第２コネクタ２１から出力可能な回路要素としての環境発電要素を含むように構成した。このような構成とすることで、環境発電要素を搭載した外部回路要素２０を配線部材１０に装着したまま持ち運ぶことができるので、電力配線装置１を容易に発電効率が高い場所に移動させて外部環境による発電効率の低下を抑制することができる。特に、本実施形態では、第２コネクタ２１の挿抜方向が、外部回路要素２０の面方向に略平行となるようにしたので、薄型の外部回路要素２０の面方向に力を作用させることで第２コネクタ２１を挿抜することができるので、外部回路要素２０の着脱時に曲げ応力がかかり難くすることができる。従って、第２コネクタ２１を第１コネクタ１２に装着する際に各部材にかかる応力を低減することができる。
【００８７】
また、本実施形態では、配線部材１０は、可撓性を有する部材であるように構成した。このような構成とすることで、電力配線装置１を変形させて収納や持ち運びをし易くすることができる。
【００８８】
また、本実施形態では、配線部材１０は、外部回路要素２０の辺縁部において外部回路要素２０の厚み方向の変位を規制することで外部回路要素２０を配線部材１０上に保持する辺縁部保持部材１４Ａを有するように構成した。このような構成とすることで、外部回路要素２０を配線部材１０上から離れないように保持することができるので、外部回路要素２０を配線部材１０に装着したまま電力配線装置１を持ち運んでも、外部回路要素２０が配線部材１０から離脱して変形したり、過大な応力がかかって破損するのを抑制することができる。
【００８９】
また、本実施形態では、辺縁部保持部材１４Ａは、第２コネクタ２１の挿抜方向に沿って辺縁部を収容する収容部１５Ａを有し、第２コネクタ２１を第１コネクタ１２に対向させた状態で辺縁部を収容部１５Ａに収容することで、第２コネクタ２１が第１コネクタ１２に対して装着可能に位置決めされるように構成した。このような構成とすることで、外部回路要素２０を配線部材１０に平行に移動させて第２コネクタ２１を容易に第１コネクタ１２に装着することができる。また、第２コネクタ２１を第１コネクタ１２に装着する際に各部材にかかる応力を低減することができる。
【００９０】
また、本実施形態では、外部回路要素２０は、第２コネクタ２１から入力される電力を消費可能な回路要素としての負荷要素を有するように構成した。このような構成とすることで、電力配線装置１が有する環境発電要素で発電された電力を容易に負荷要素で消費することができる。
【００９１】
また、本実施形態では、配線部材１０は、第１コネクタ１２を有する複数の配線部材ユニット１０Ａを備え、複数の配線部材ユニット１０Ａは連結配線部材を介して機械的かつ電気的に接続されるように構成した。このような構成とすることで、電力配線装置６は、連結配線部材の領域で折り畳むことができるので、収納や持ち運びをし易くすることができる。
【００９２】
また、本実施形態では、連結配線部材は、複数の配線部材ユニット１０Ａ上に配置される第４コネクタ１８を有し、第４コネクタ１８同士が直接又は他の部材を介して接続されることで複数の配線部材ユニット１０Ａは機械的かつ電気的に接続されるように構成した。このような構成とすることで、電力配線装置６は、配線部材ユニット１０Ａ単位で増設が可能となるため、利用者の使用状況等に応じて、電力配線装置６全体の大きさを自由に調節することができる。
【００９３】
また、本実施形態では、配線部材１０Ｂ，１０Ｃは、外部回路要素２０が配置されていない面内位置において折り曲げ可能であるように構成した。このような構成とすることで、電力配線装置７，８は、外部回路要素２０を装着したまま折り畳むことができるので、電力配線装置７，８の携帯性を向上させることができる。
【００９４】
また、本実施形態では、折り曲げ位置１０ｂ２に隣接する２つの第１コネクタ１２は、当該折り曲げ位置１０ｂ２で配線部材１０Ｃを折り曲げた時に互いに面方向に重ならない面内位置に配置されるように構成した。このような構成とすることで、電力配線装置８を折り畳んだときの重なり方向の厚みを低減することができるため、電力配線装置８の携帯性を更に向上させることができる。
【００９５】
本開示を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００９６】
例えば、上述の電力配線装置１乃至８は、互いに自由に組み合わせ可能である。例えば、電力配線装置２乃至５に係る辺縁部保持部材１４Ｂ乃至１４Ｅは、図１Ａ，図１Ｂ、図８乃至１０の電力配線装置１，６乃至８の辺縁部保持部材１４Ａと置き換え可能である。また、電力配線装置７，８において、図８の第４コネクタ１８とフレキシブルプリント基板１９の構成を採用して折り曲げ位置１０ｂ１，１０ｂ２を構成してもよい。
【００９７】
また、上述の各コネクタは、互いに着脱可能な組み合わせ同士であればよく、例えば、一方がオス型コネクタ、他方がメス型コネクタである。第１コネクタ１２がオス型コネクタである場合、第１コネクタ１２と着脱可能な第２コネクタ２１はメス型コネクタである。一方、第１コネクタ１２がメス型コネクタである場合、第１コネクタ１２と着脱可能な第２コネクタ２１はオス型コネクタである。第３コネクタ１３がオス型コネクタである場合、第３コネクタ１３と着脱可能な図示しない他のコネクタはメス型コネクタである。一方、第３コネクタ１３がメス型コネクタである場合、第３コネクタ１３と着脱可能な図示しない他のコネクタはオス型コネクタである。
【００９８】
また、環境発電要素は、逆電流防止部を備えていなくてもよい。しかしながら、環境発電要素が逆電流防止部を備えていれば、他の環境発電要素等の回路要素からの電流が環境発電部又は外部の環境発電部に流れ込むことを抑制できる点で好ましい。また、環境発電要素は、出力電圧を一定に制御する電圧制御部を備えていてもよい。
【００９９】
このように、本実施形態に係る電力配線装置１乃至８は、主として太陽電池を携帯するために小型化した装置である。電力配線装置１乃至８は、携帯性に優れるが故に単一の太陽電池における発電量は小さく、太陽電池を複数有することが有利である。そして、太陽電池を複数有することに起因する装置面積の増大が携帯性に与える影響を抑制するため、本実施形態では、利用者の利用状況に応じて複数の配線部材ユニット１０Ａを着脱したり、配線部材１０を容易に折り畳める構成を採用している。
【産業上の利用可能性】
【０１００】
本開示によれば、携帯性を向上させ、利便性を向上させた電力配線装置を提供することができる。
【符号の説明】
【０１０１】
１，２，３，４，５，６，７，８  電力配線装置
１０，１０Ｂ，１０Ｃ  配線部材
１０Ａ      配線部材ユニット
１０ｂ１，１０ｂ２  折り曲げ位置
１１Ａ      基板本体
１１Ｂ      導電部
１２        第１コネクタ
１３        第３コネクタ
１４Ａ，１４Ｂ，１４Ｃ，１４Ｄ，１４Ｅ  辺縁部保持部材
１４Ａ１，１４Ｂ１，１４Ｃ１  開口部
１５Ａ，１５Ｂ，１５Ｃ，１５Ｄ，１５Ｅ  収容部
１７ａ，１７ｂ  係止部
１８        第４コネクタ（連結配線部材）
１９        フレキシブルプリント基板（連結配線部材）
２０  外部回路要素
２１  第２コネクタ
３０        孔
３２        折り曲げ線
４１        載置領域
４３        連結領域（連結配線部材）
【図１Ａ】
2019181536.tif 000003
【図１Ｂ】
2019181536.tif 000004
【図２】
2019181536.tif 000005
【図３】
2019181536.tif 000006
【図４Ａ】
2019181536.tif 000007
【図４Ｂ】
2019181536.tif 000008
【図５Ａ】
2019181536.tif 000009
【図５Ｂ】
2019181536.tif 000010
【図６Ａ】
2019181536.tif 000011
【図６Ｂ】
2019181536.tif 000012
【図７】
2019181536.tif 000013
【図８】
2019181536.tif 000014
【図９】
2019181536.tif 000015
【図１０】
2019181536.tif 000016
【国際調査報告】
2019181536.tif 000017
2019181536.tif 000018
2019181536.tif 000019
2019181536.tif 000020